(57)【要約】【課題】背当てパッドがリュックサックとして使用するときに緩衝材として使用者の背中を保護し、キャリーオンバッグとして使用するときには安定保持、横ずれ防止材として働き、安定したキャリーができるようにする。【解決手段】  バッグ本体１０の背面側に、背負いベルト収容用ポケット部２５を形成し、背負いベルト収容用ポケット部２５内に一対の背負いベルト２８Ｒ，２８Ｌを出し入れ可能に収容し、バック本体１０の背負いベルト収容用ポケット部２５の背面外側に硬くて自己形状保持機能のある背当てパッド３０を取り付け、背負いベルト収容用ポケット部２５と背当てパッド３０との間に、キャリーバッグ５０のキャリーハンドル５１を挿通するためのキャリーハンドル挿通用隙間３１を形成したマルチウェイバック１。【選択図】      図５
2015150292.tif 000002
【特許請求の範囲】
【請求項１】
直方体のバッグ本体の長辺部側若しくは短辺部側に荷物出し入れ用の開口部を形成し、
前記バッグ本体の背面側に、背負いベルト収容用ポケット部を形成し、
前記背負いベルト収容用ポケット部における前記バック本体の荷物出し入れ用の開口部に対して直角な向きの短辺部近くの位置、若しくは前記バック本体の荷物出し入れ用の開口部と同じ向きの短辺部近くの位置に背負いベルト出し入れ用開口部を形成し、
前記背負いベルト収容用ポケット部内に、それぞれ一端を固定した一対の背負いベルトを出し入れ可能に収容して前記背負いベルト出し入れ用開口部から出し入れ自在にし、
前記バッグ本体における、前記背負いベルト出し入れ用開口部の位置とは反対側の短辺部の両端部それぞれの位置に、前記一対の背負いベルトの他端それぞれを脱着可能に係止する係止具を取り付け、
前記バック本体の前記背負いベルト収容用ポケット部の外がわ面に、前記バック本体の生地よりも硬く、自己形状保持機能のある背当てパッドを取り付け、
前記背負いベルト収容用ポケット部の外がわ面と前記背当てパッドの内がわ面との間に、キャリーバッグのキャリーハンドルを前記バッグ本体の長軸方向若しくは短軸方向に挿通するためのキャリーハンドル挿通用隙間を形成したことを特徴とするマルチウェイバック。
【請求項２】
前記背当てパッドは、発泡樹脂パッドをメッシュ生地の外布でくるんだものであることを特徴とする請求項１に記載のマルチウェイバック。
【請求項３】
前記バッグ本体は横長の直方体とし、
前記荷物出し入れ用の開口部を前記バッグ本体の上側の長辺部近くに設け、
前記背負いベルト収容用ポケット部には、前記バッグ本体の一方の横側の短辺部近くの位置に前記背負いベルト出し入れ用開口部を形成し、
前記一対の背負いベルトそれぞれは、前記背負いベルト出し入れ用開口部の近くにおいて前記背負いベルト収容用ポケット部の内部に前記一端それぞれを固定し、
前記キャリーハンドル挿通用隙間は、前記背負いベルト収容用ポケット部と前記背当てパッドとの間に、前記バッグ本体の上下短軸方向に挿通できるように形成したことを特徴とする請求項１又は２に記載のマルチウェイバック。
【請求項４】
前記バッグ本体は縦長の直方体とし、
前記荷物出し入れ用の開口部を前記バッグ本体の上側の短辺部に設け、
前記背負いベルト収容用ポケット部には、前記バッグ本体の上側の短辺部近くの位置に前記背負いベルト出し入れ用開口部を形成し、
前記一対の背負いベルトそれぞれは、前記背負いベルト出し入れ用開口部の近くにおいて前記背負いベルト収容用ポケット部の内部に前記一端それぞれを固定し、
前記キャリーハンドル挿通用隙間は、前記背負いベルト収容用ポケット部と前記背当てパッドとの間に、前記バッグ本体の左右短軸方向に挿通できるように形成したことを特徴とする請求項１又は２に記載のマルチウェイバック。
【請求項５】
前記背負いパッドの内側に形成されたキャリーハンドル挿通用隙間には、前記キャリーハンドルの横ずれを防ぐためのセンター固定手段を設けたことを特徴とする請求項１〜４のいずれかに記載のマルチウェイバック。
【発明の詳細な説明】
【技術分野】
【０００１】
本発明は、多様な持ち方、運び方のできるマルチウェイバッグに関する。
【背景技術】
【０００２】
従来、マルチウェイバッグとして、例えば、特開２００２−１４２８２６号公報（特許文献１）のように、ブリーフケース（手提げ式鞄）、ショルダーバッグ（肩掛け式鞄）、リュックサック（背負い式鞄）として使用できる、いわゆるスリーウェイバッグが知られている。
【０００３】
このような従来のマルチウェイバックでは、今日のビジネスパーソンが出張旅行でトランクと共に持って移動するのに、キャリートップとしてキャリーバッグやトランク（ここでは、「キャリーバッグ」で総称する。）のキャリーハンドルに装着できない不便さがあった。
【０００４】
これを解決するために、今日、スリーウェイバッグにキャリーオン機能も持たせたマルチウェイバックも販売されるようになっている。
【０００５】
ところが、このようなマルチウェイバックの場合、キャリーオン機能のために装備が貧弱であり、単にサポーターのような硬めのストラップをバッグ本体の背面に水平に縫い付けただけのもの、あるいは、バッグ本体の背面に、上下方向にキャリーハンドルが挿通できるようにバッグ本体と同じ生地の布あるいは皮を縫い付けただけのものであった。
【先行技術文献】
【特許文献】
【０００６】
【特許文献１】特開２００２−１４２８２６号公報
【発明の概要】
【発明が解決しようとする課題】
【０００７】
本発明は、このような従来技術の課題に鑑みてなされたもので、キャリーオンにして安定したキャリーが可能であり、かつ、リュックサックとして背負う際に使用者の背中にバッグ本体内の硬い収容物の一部や角が当たって不快感を与えたり痛みを生じさせたりする恐れがなく、背中の蒸れの防止も図れるマルチウェイバックを提供することを目的とする。
【課題を解決するための手段】
【０００８】
本発明のマルチウェイバックは、直方体のバッグ本体の長辺部側若しくは短辺部側に荷物出し入れ用の開口部を形成し、前記バッグ本体の背面側に、背負いベルト収容用ポケット部を形成し、前記背負いベルト収容用ポケット部における前記バック本体の荷物出し入れ用の開口部に対して直角な向きの短辺部近くの位置、若しくは前記バック本体の荷物出し入れ用の開口部と同じ向きの短辺部近くの位置に背負いベルト出し入れ用開口部を形成し、前記背負いベルト収容用ポケット部内に、それぞれ一端を固定した一対の背負いベルトを出し入れ可能に収容して前記背負いベルト出し入れ用開口部から出し入れ自在にし、前記バッグ本体における、前記背負いベルト出し入れ用開口部の位置とは反対側の短辺部の両端部それぞれの位置に、前記一対の背負いベルトの他端それぞれを脱着可能に係止する係止具を取り付け、前記バック本体の前記背負いベルト収容用ポケット部の外がわ面に、前記バック本体の生地よりも硬く、自己形状保持機能のある背当てパッドを取り付け、前記背負いベルト収容用ポケット部の外がわ面と前記背当てパッドの内がわ面との間に、キャリーバッグのキャリーハンドルを前記バッグ本体の長軸方向若しくは短軸方向に挿通するためのキャリーハンドル挿通用隙間を形成したことを特徴とする。
【発明の効果】
【０００９】
本発明によれば、バック本体の背面側の背負いベルト収容用ポケット部のさらに外側に、バック本体の生地よりも硬く、自己形状保持機能のある背当てパッドを取り付け、背負いベルト収容用ポケット部の外がわ面と背当てパッドの内がわ面との間には、キャリーバッグのキャリーハンドルを挿通する方向にキャリーハンドル挿通用隙間を形成しているので、キャリーバッグのキャリーハンドルをキャリーハンドル挿通用隙間に挿通することによってキャリートップにしてキャリーバッグと共にキャリーするときには背当てパッドの硬さにより当該マルチウェイバックを安定してキャリーすることができ、かつ、リュックサックとして背負う際にはこの硬めの背当てパッドが緩衝材になりバッグ本体内の硬い収容物の一部や角が使用者の背中に当たって不快感を与えたり痛みを生じさせたりする恐れがないマルチウェイバックを提供することができる。
【図面の簡単な説明】
【００１０】
【図１】本発明の第１の実施の形態のマルチウェイバックの前面側からの斜視図。
【図２】上記第１の実施の形態のマルチウェイバックの背面側からの斜視図。
【図３】上記第１の実施の形態のマルチウェイバックのショルダーベルトを取り付けた状態の斜視図。
【図４】上記第１の実施の形態のマルチウェイバックの背負いベルトを取り出した使用状態の斜視図。
【図５】上記第１の実施の形態のマルチウェイバックをキャリーバッグのキャリーハンドルに装着したキャリーオン使用状態の斜視図。
【図６】上記第１の実施の形態のマルチウェイバックの背負いベルトを取り出した状態の背面側からの斜視図。
【図７】本発明の第２の実施の形態のマルチウェイバックのショルダーベルトを取り出した状態の正面側からの斜視図。
【図８】上記第２の実施の形態のマルチウェイバックのショルダーベルトを取り出した状態の背面側からの斜視図。
【発明を実施するための形態】
【００１１】
以下、本発明の実施の形態を図に基づいて詳説する。
［第１の実施の形態］
図１〜図６を用いて、本発明の第１の実施の形態のマルチウェイバック１について説明する。尚、本明細書及び図面では、図１における上方が上、下方が下とし、図１における手前側が前方また表側、奥側が後方また裏側、背面側として述べる。ただし、リュックサックとして本マルチウェイバッグ１を背負う際には、背負い人の左右が本バッグの左（Ｌ）右（Ｒ）となり、本マルチウェイバッグ１を前方から見た場合の左右とは逆になる。
【００１２】
第１の実施の形態のマルチウェイバック１は横型であり、横長の直方体のバッグ本体１０の上面の長辺部に荷物の出し入れを行うための荷物出し入れ用開口部１１が設けてある。この荷物出し入れ用開口部１１には、ファスナー１２が上側長辺部の全長と共に左右両側面の短辺部にも渡って設けてある。荷物出し入れ用開口部１１の前面、背面の上端部には持ち運び用の取っ手１３が取り付けてある。
【００１３】
バッグ本体１０はその全体が防水仕様であり、防水性の生地に防水性のファスナーを使用して制作している。このバッグ本体１０の一方の側面１４にはペットボトル収納部１５が形成してあり、他方の側面１６には折りたたみ傘収納部１７が形成してある。またこれらのペットボトル収納部１５、折りたたみ傘収納部１７それぞれの上部開口部の内側には、それらにより目隠しされる位置にショルダーベルト係止用リング１８，１９が取り付けてある。図３に示すように、これらのショルダーベルト係止用リング１８，１９はペットボトル収納部１５、折りたたみ傘収納部１７それぞれから上側に引き出し、ショルダーベルト２０を係止するために用いる。
【００１４】
バッグ本体１０の前面には、筆記用具、多機能携帯電話、文庫本、ハンカチーフ、メモ帳などの小物類を収容する小物ポケット２１，２２が形成してある。
【００１５】
図２に詳しいように、バッグ本体１０の背面側には横長に背負いベルト収納用ポケット部２５が形成してある。この背負いベルト収納用ポケット部２５におけるバッグ本体１０の左右片側の短辺部に近い位置に、背負いベルト出し入れ用開口部２６が形成してあり、ファスナー２７にて開閉できるようにしてある。そして背負いベルト収納用ポケット部２５内の前記背負いベルト出し入れ用開口部２６の近くには、一対の背負いベルト２８Ｒ，２８Ｌそれぞれの一端部が縫い付けてあり、通常の使用状態ではこれらの一対の背負いベルト２８Ｒ，２８Ｌは背負いベルト収納用ポケット部２５内に収納し、背負いベルト出し入れ用開口部２６をファスナー２７にて閉じることにより、外から見えないようにしている。
【００１６】
さらに、バッグ本体１０の背面において、背負いベルト収納用ポケット部２５のさらに背面には、バッグ本体１０とは別体に、柔軟かつ弾力性がある発泡樹脂パッドをメッシュ布にてくるんだ構造の背当てパッド３０が縫い付けてある。この背当てパッド３０は、全体として自己形状保持機能を備え、布製あるいは皮革製のバッグ本体１０よりも硬い材質である。そして、当該マルチウェイバック１を、図４及び図６に示すようにリュックサック式に背負う場合に使用者の背中に当たり緩衝材として作用する場所に適切な面積で縫い付けてある。同時に、背負いベルト収納用ポケット部２５の外がわ面と背当てパッド３０の内がわ面との間には、バッグ本体１０の上下短軸方向に貫通するようにキャリーハンドル挿通用隙間３１が形成してある。尚、図２、図５等において、符号３２は背当てパッド３０の縫い付け部を示している。
【００１７】
また背負いベルト収納用ポケット部２５の外がわ面と背当てパッド３０の内がわ面との間のキャリーハンドル挿通用隙間３１の上部中央部には、ホックあるいは面ファスナーによるセンター固定手段３３が、そこに挿通されるキャリーハンドルの横ずれを防ぐために設けてある。
【００１８】
背負いベルト収納用ポケット部２５の開口部２６と反対側の短辺部の上下両端部それぞれには斜めカットした背負いベルト係止用リング収納部３５Ｒ，３５Ｌが開口させてある。そして、この背負いベルト係止用リング収納部３５Ｒ，３５Ｌそれぞれには、背負いベルト係止用リング３６Ｒ，３６Ｌが、不使用時には外から見えない状態で収納でき、使用時には引き出して背負いベルト２８Ｒ，２８Ｌの自由端のフックを係止できるように設けてある。
【００１９】
次に、上記構成のマルチウェイバック１の使用方法について説明する。
＜ブリーフケース＞
図１、図２は、通常の横長型の手提げブリーフケースとしての使用状態であり、取っ手１３を持って持ち運ぶ。
【００２０】
＜ショルダーバッグ＞
図３は、本実施の形態のマルチウェイバック１をショルダーバッグとして使用する状態を示している。ショルダーベルト２０はマルチウェイバック１とは別部品である。ショルダーバッグとして使用する場合、バッグ本体１０の左右側面１４，１６のペットボトル収納部１５、折りたたみ傘収納部１７に隠れるように設けた係止用リング１８，１９を引き出し、ショルダーベルト２０の両端の係止用フック４１Ｒ，４１Ｌそれぞれを係止用リング１８，１９それぞれに係止する。
【００２１】
＜リュックサック＞
図４、図６に示すように、リュックサックとして使用する場合、縦長の姿勢にして、背負いベルト収納用ポケット部２５の背負いベルト出し入れ用開口部２６を開いて中から一対の背負いベルト２８Ｒ，２８Ｌを取り出す。また背負いベルト収納用ポケット部２５の開口部２６と反対側の短辺部の両端部（図６では下側の左右両端部になっている）それぞれの背負いベルト係止用リング収納部３５Ｒ，３５Ｌから背負いベルト係止用リング３６Ｒ，３６Ｌそれぞれを引き出す。そして、背負いベルト２８Ｒ，２８Ｌそれぞれの自由端に取り付けてある係止用フック４６Ｒ，４６Ｌを、引き出されて露出している背負いベルト係止用リング３６Ｒ，３６Ｌに係止して背負いベルト２８Ｒ，２８Ｌの下端それぞれをバッグ本体１０の下端両側に接続する。
【００２２】
このようにリュックサックとして使用する場合、使用者の背中には背当てパッド３０が当たることになる。この背当てパッド３０は布製、あるいは皮革製のバッグ本体１０よりも自己形状保持機能が高く、しかも柔軟かつ弾力性があるので、使用者の背中にバッグ本体１０内の収納物の角が当たる場合でも緩衝材として作用する。そのため、リュックサックとして使用する場合に、使用者の背中に痛みを与えるのを防ぎ、同時にこれがメッシュネット布でくるんであるので風通しが良くて快適な使用感を実現できる。
【００２３】
＜キャリーオンバッグ＞
図５に示すように、キャリーハンドル５１の付いたキャリーバッグ５０のキャリーオンバッグとして使用する場合、背負いベルト収納用ポケット部２５の外がわ面と背当てパッド３０の内がわ面との間のキャリーハンドル挿通用隙間３１にキャリーバッグ５０から引き出したキャリーハンドル５１を挿通する。そして、センター固定手段３３としてホックを留め、あるいは面ファスナーを閉じることによってキャリーハンドル５１からマルチウェイバック１が横ずれしない状態にする。
【００２４】
こうしてキャリーオンバッグとして使用する場合、バッグ本体１０が柔軟で自己形状保持機能に乏しい布製あるいは皮革製のものであっても、自己形状保持機能の高い比較的に硬い材質の背当てパッド３０がバッグ本体１０の変形を防止する。そのため、本実施の形態のマルチウェイバック１は、安定した姿勢でキャリーバッグ５０と共にキャリーできる。同時に、センター固定手段３３によりキャリーハンドル５１からマルチウェイバック１が横ずれしたり前後ずれしたりするのをより確実に防止し、いっそう安定したキャリーを実現する。
【００２５】
［第２の実施の形態］
次に、本発明の第２の実施の形態のマルチウェイバック１Ａについて、図７、図８を用いて説明する。本実施の形態のマルチウェイバック１Ａの特徴は、バッグ本体１０Ａが縦長であることである。すなわち、縦長直方体状のバッグ本体１０Ａの上がわ短辺部に荷物の出し入れを行うための荷物出し入れ用開口部１１Ａが設けてあり、その荷物出し入れ用開口部１１Ａには、ファスナー１２Ａが上がわ短辺部の全長と共に左右両側面の長辺部にも渡って設けてある。荷物出し入れ用開口部１１Ａの前面、背面の上端部には持ち運び用の取っ手１３Ａが取り付けてある。
【００２６】
バッグ本体１０Ａの片方の側面１６Ａにはショルダーベルト係止用リング１９Ａが取り付けてある。尚、図７、図８では片方の側面１６Ａだけが示してあるが、反対側の側面１４Ａについても同様であり、ショルダーベルト係止用リング１８Ａが取り付けてある。また、バッグ本体１０Ａの前面には、上下に小物ポケット２１Ａ，２２Ａが設けてある。
【００２７】
尚、図７、図８において、図１〜図６に示した第１の実施の形態と同一あるいは類似する要素、部材について同一の符号を付して示し、その詳しい説明は省略している。すなわち、背負いベルト収容用ポケット部２５、背負いベルト出し入れ用開口部２６、ファスナー２７、背負いベルト２８Ｒ，２８Ｌ、背負いベルト２８Ｒ，２８Ｌそれぞれの他端を係脱可能に係止する係止リング３６Ｒ，３６Ｌ、バック本体１０Ａの生地よりも硬く、自己形状保持機能のある背当てパッド３０、背負いベルト収容用ポケット部２５とこの背当てパッド３０の間に形成したキャリーハンドル挿通用隙間３１等については、第１の実施の形態と同様である。
【００２８】
図７、図８では説明の便宜のために、背負いベルト２８Ｒ，２８Ｌを背負いベルト収納用ポケット部２５から引き出した状態を示しているが、本実施の形態の縦長のマルチウェイバック１Ａについても、手提げのブリーフケース、背負いのリュックサック、ショルダーバッグとして使用することができ、また、キャリーオンバッグとしても使用できる。
【００２９】
手提げのブリーフケースとして使用する場合には、図７、図８における背負いベルト２８Ｒ，２８Ｌは背負いベルト収納用ポケット部２５に収納し、取っ手１３Ａを持って縦長の状態で持ち運ぶ。
【００３０】
ショルダーバッグとして使用する場合にも、図７、図８における背負いベルト２８Ｒ，２８Ｌは背負いベルト収納用ポケット部２５に収納し、さらに、別部材のショルダーベルト２０（ここでは図示せず。図３を参照）の両端の係止用フック４１Ｒ，４１Ｌを係止用リング１８Ａ，１９Ａそれぞれに係止し、そのショルダーベルト２０を使用者の肩に掛けて運ぶ。
【００３１】
リュックサックとして使用する場合には、図７、図８の状態で使用者が背負って移動する。そして、キャリーオンバッグとして使用する場合には、第１の実施の形態の場合と同様に図５に示す横長の状態でキャリーバッグ５０のキャリーハンドル５１に掛けてキャリーバッグ５０と共にキャリーハンドル５１を引いてキャリーする。
【００３２】
本実施の形態のマルチウェイバック１Ａにあっても、第１の実施の形態と同様に、リュックサックとして使用する場合、使用者の背中には背当てパッド３０が当たるので、使用者の背中に痛みを与えるのを防ぎ、快適な使用感を実現できる。また、このキャリーオンバッグとして使用する場合に、安定した姿勢でキャリーバッグ５０と共にキャリーでき、同時に、センター固定手段３３によりキャリーハンドル５１からマルチウェイバック１が横ずれしたり前後ずれしたりするのをより確実に防止し、いっそう安定したキャリーが実現できる。
【００３３】
尚、本発明は上記の実施の形態に限定されるものではなく、バッグ本体の生地、形状、背当てパッドの形状、サイズ等について、その目的の範囲内で変更することができる。バッグ本体１０，１０Ａの全体を防水性にするほか、通常仕様の生地、ファスナーを使用して制作することも勿論可能である。
【符号の説明】
【００３４】
１，１Ａ  マルチウェイバック
１０，１０Ａ  バッグ本体
１１，１１Ａ  荷物出し入れ用開口部
１３，１３Ａ  取っ手
１４，１６  側面
１５  ペットボトル収納部
１７  折りたたみ傘収納部
１８，１８Ａ  ショルダーベルト係止用リング
１９，１９Ａ  ショルダーベルト係止用リング
２０  ショルダーベルト
２１，２１Ａ，２２，２２Ａ  小物ポケット
２５  背負いベルト収納用ポケット部
２６  背負いベルト出し入れ用開口部
２８Ｒ，２８Ｌ  背負いベルト
３０  背当てパッド
３１  キャリーハンドル挿通用隙間
３３  センター固定手段
３５Ｒ，３５Ｌ  背負いベルト係止用リング収納部
３６Ｒ，３６Ｌ  背負いベルト係止用リング
【図１】
2015150292.tif 000003
【図２】
2015150292.tif 000004
【図３】
2015150292.tif 000005
【図４】
2015150292.tif 000006
【図５】
2015150292.tif 000007
【図６】
2015150292.tif 000008
【図７】
2015150292.tif 000009
【図８】
2015150292.tif 000010